(57)【特許請求の範囲】
【請求項１】
分析対象のガスにレーザ光を照射し、該ガス中を透過したレーザ光に基づいて前記ガスの成分濃度や温度を測定して分析するガス分析装置であって、
該ガス分析装置は、前記ガスが流れる経路に固定されるセンサ部を備えており、
該センサ部は、
前記ガスが流れる経路の断面形状と実質的に同じ断面形状であるガス通過孔を有するセンサベースと、
該センサベースのガス通過孔を通過するガスにレーザ光を照射する複数のレーザ光照射部と、
前記排ガス通過孔を挟持する対向位置に互いに平行に配置され、前記複数のレーザ光照射部のそれぞれから照射されて前記ガス中を透過した各レーザ光を反射させて前記ガス中を再度透過させる一対の反射部材と、
前記複数のレーザ光照射部のそれぞれから照射された複数のレーザ光に対応して設けられ、前記一対の反射部材により反射されて前記ガス中を透過した各レーザ光をそれぞれ受光する複数の受光部と、
を少なくとも備えており、
前記複数のレーザ光照射部と前記複数の受光部は、それぞれのレーザ光路が互いに交差しないように配置され、
前記一対の反射部材は、前記複数のレーザ光のうちの第１のレーザ光に対応する第１の反射面部と、前記複数のレーザ光のうちの第２のレーザ光に対応する第２の反射面部とが交互に並んで配置された反射面をそれぞれ有することを特徴とするガス分析装置。
【請求項２】
前記センサベースは、前記各反射部材と前記ガス通過孔との間を前記レーザ光が通過可能に貫通する貫通路を有することを特徴とする請求項１に記載のガス分析装置。
【請求項３】
前記センサベースは、前記複数のレーザ光照射部と前記ガス通過孔との間、及び、前記複数の受光部と前記ガス通過孔との間を前記レーザ光が通過可能に貫通するセンサ孔を有することを特徴とする請求項１又は２に記載のガス分析装置。
【請求項４】
前記一対の反射部材は、前記センサベースに交換可能に固定されていることを特徴とする請求項１から請求項３のいずれか一項に記載のガス分析装置。
【請求項５】
前記センサ部は、前記経路中の複数個所に設置されることを特徴とする請求項１から請求項４のいずれか一項に記載のガス分析装置。
【請求項６】
前記複数のレーザ光は、前記第１のレーザ光として赤外レーザ光と、前記第２のレーザ光として可視レーザ光とを含むことを特徴とする請求項１から請求項５のいずれか一項に記載のガス分析装置。
【請求項７】
前記分析対象のガスが、内燃機関から排出される排ガスであり、内燃機関に接続される排ガス流路を前記経路としたことを特徴とする請求項１から請求項６のいずれか一項に記載のガス分析装置。
【発明の詳細な説明】
【技術分野】
【０００１】
本発明は、ガスの温度・濃度・化学種等を測定により求めることでガス分析を行なうガス分析装置に関する。
【背景技術】
【０００２】
一般に、流路中を流れるガス中に光を照射し、ガス中を透過した光を検出することで、ガスの成分を測定するガス分析計が用いられており、この種のガス分析装置として、例えば特許文献１に記載のインラインガス分析計が知られている。このようなガス分析計は、ガスが流れる配管の管壁に二つの光透過性窓を対向またはほぼ対向するように形成し、これらの窓にそれぞれ一部を光透過部として残して配管内部に面する光反射面を形成し、一方の窓の光透過部の外方に光源およびカセグレン鏡を備えた光源部を、前記光源を出た光がカセグレン鏡を経て一方の窓の光透過部に対して斜め入射するように設けている。さらに、他方の窓の光透過部の外方に複数の波長の光を検出するための検出器部を設け、光源部を出た光が一方の窓の光透過部から配管内に入り、その後、二つの窓の光反射面間において複数回反射した後、他方の窓の光透過部を経て検出器部に入射するようにしている。このようなガス分析計を用いることで、ガスの温度・濃度・化学種等を測定することができ、その結果、ガスの成分等を分析することができる。
【０００３】
前述のような分析対象となるガスとしては、前記特許文献１に記載のような半導体製造時に用いられるインラインガスや自動車等の内燃機関から排出される排ガス、工場から排出される排ガス等が挙げられる。
【０００４】
【特許文献１】特開２００４−５３４０５号公報
【発明の開示】
【発明が解決しようとする課題】
【０００５】
ところで、前記特許文献１に記載のガス分析装置のように、ガス中に含まれる測定対象成分の濃度を測定して分析を行なう場合に、光透過性窓、検出器や光源を流路中に配置することで、流路中を流れるガスの流れが乱れる場合がある。このように流路中のガスの流れが乱れることによって、流路中を流れるガスの成分をリアルタイムで精度良く分析することができなくなる。
【０００６】
本発明は、このような問題に鑑みてなされたものであって、その目的とするところは、流路中を流れるガス流れを乱すことなく、流路中を流れるガスの成分をリアルタイムに精度良く分析可能なガス分析装置を提供することにある。また、多種類の成分ガス濃度を精度良く測定できるガス分析装置を提供することにある。そして、測定に際して基準ガスが必要なく、ガス分析が低コストで行なえるガス分析装置を提供することにある。
【課題を解決するための手段】
【０００７】
前記目的を達成すべく、本発明に係るガス分析装置は、分析対象のガスにレーザ光を照射し、該ガス中を透過したレーザ光に基づいて前記ガスの成分濃度や温度を測定して分析するガス分析装置であって、このガス分析装置は、ガスが流れる経路に固定されるセンサ部を備えており、このセンサ部は、前記ガスにレーザ光を照射するためのレーザ光照射部と、ガス中を透過したレーザ光を受光するための受光部と、ガスが流れる経路の断面形状と実質的に同じ断面形状であるガス通過孔と、ガス通過孔外に配置されレーザ光を反射させる反射部材と、反射部材と前記ガス通過孔とを結ぶ貫通路と、を少なくとも備えており、前記センサ部は、前記レーザ光照射部から照射されたレーザ光が、ガス通過孔を通過するガス中を透過し、前記貫通路を通して前記反射部材に到達し、該反射部材で反射され前記貫通路を通してガス中をさらに透過し、前記受光部に導かれるように構成されている。ガスが流れる経路の断面形状は円形が好ましく、ガスが通過するセンサ部のガス通過孔の形状も円形が好ましい。また、反射部材は平板状が好適である。
【０００８】
前記のごとく構成された本発明のガス分析装置は、ガスが流れる経路中にセンサ部を設置し、このセンサ部には経路の断面形状と実質的に同じ断面形状のガス通過孔が形成されているためガス流れの乱れが少なく、レーザ光照射部から照射されたレーザ光はスリットまたは孔等の貫通路を介して反射部材の反射面で反射されレーザ光受光部で受光されるため、レーザ光はガス中の透過距離が長くなって減衰量が大きくなり、精度の高い成分濃度測定や温度測定が可能となる。また、装置構成が簡単で容易に経路に設置でき、基準ガスや補助ガスが不要でガス分析を低コストで行なうことができる。
【０００９】
また、本発明に係るガス分析装置の好ましい具体的な態様としては、前記反射部材はガス通過孔を挟持する対向位置において各々取り付けられており、これらの反射部材の反射面が互いに平行となるように配置されていることを特徴としている。この構成によれば、例えば２枚の反射部材間をレーザ光は複数回反射されて受光されるため、測定対象のガス中を透過する距離が長くなり、減衰量が大きくなるため精度の高い測定が可能となる。
【００１０】
また、本発明に係るガス分析装置の好ましい具体的な他の態様としては、反射部材は、前記センサ部に交換可能に固定されていることを特徴としている。この構成によれば、レーザ光を反射するミラー等の反射部材が熱衝撃等により破損した場合に交換することで、ガス分析装置を容易に修復することができる。
【００１１】
前記センサ部は、ガスが流れる経路中の複数個所に設置されることが好ましい。この構成によれば、ガスが流れる経路中の複数個所にガスが通過できるガス通過孔を有するセンサ部を設置し、このセンサ部にレーザ光の照射部と、ガス中を透過したレーザ光の受光部とを備えるように構成しているため、ガスが流れる経路への設置、特に複数個所への設置が容易に行なえ、経路中のガスの成分濃度等の変化の状態をリアルタイムで容易に測定して分析できる。
【００１２】
さらに、本発明に係るガス分析装置の他の態様としては、ガス分析装置は、複数のレーザ光照射部と、レーザ光照射部のそれぞれから照射された複数のレーザ光に対応する複数の受光部とを備え、それらは、それぞれのレーザ光路が互いに交差しないように配置されていることを特徴としている。この構成によれば、例えば複数のレーザ光として、赤外レーザ光と可視レーザ光とを用いてガスの成分の濃度等を測定することができ、多数種類のガスの成分の濃度等を同時に、しかもリアルタイムで測定することができる。
【００１３】
また、前記反射部材は、複数のレーザ光にそれぞれ対応する反射面を備えることが好ましい。特に、複数のレーザ光が少なくとも赤外レーザ光と可視レーザ光とを含む場合、反射部材は赤外レーザ光を反射する第１の反射面と、可視レーザ光を反射する第２の反射面とを備えることが好ましい。この構成によれば、反射部材は赤外レーザ光の反射率が高い反射面と、可視レーザ光の反射率が高い反射面とを備えるため、それぞれのレーザ光の反射ロスを低減することができ、精度の高い測定が可能となる。そして、反射部材は、第１の反射面と第２の反射面とが交互に配置されていることが好ましい。これにより、赤外レーザ光と可視レーザ光とを効率良く反射でき、長い光路長を得る場合でも反射部材の小型化を図ることができる。
【００１４】
また、本発明のガス分析装置は、前記分析対象のガスが、内燃機関から排出される排ガスであり、内燃機関に接続される排ガス流路を前記経路としたことを特徴としている。この構成によれば、内燃機関から排出される排ガスの、排気経路中を流れる状態をリアルタイムで分析できるため、内燃機関の性能の確認や試験等を行なう際に有用である。
【発明の効果】
【００１５】
本発明のガス分析装置は、ガスが流れる経路に固定されるセンサ部には、経路の断面形状と実質的に同じ断面形状のガス通過孔が形成され、このガス通過孔内をガスが通過するため、ガス流れの乱れを防止して安定した状態でガスの成分濃度や温度を測定することができる。しかも、ガス流れを乱さない状態で、ガス中でレーザ光を反射させてガス中の透過距離を大きくすることができるため、ガス中に含まれる成分の濃度や温度を精度良くリアルタイムで測定することができ、高精度なガス分析が可能となる。
【発明を実施するための最良の形態】
【００１６】
以下、本発明に係るガス分析装置を自動車の排ガス分析装置に用いた一実施形態を図面に基づき詳細に説明する。図１は、本実施形態に係る排ガス分析装置を自動車に搭載した要部構成図、図２は、図１の排ガス分析装置をエンジンベンチに搭載した状態の要部構成図、図３は、センサ部の要部の分解した状態の斜視図を含む排ガス分析装置の要部構成図、図４は、図３のセンサ部の詳細を示す一部を破断した正面図と、Ａ−Ａ線断面図、Ｂ−Ｂ線断面図およびＣ−Ｃ線要部断面図、図５は、レーザ発振・受光コントローラの要部構成および信号解析装置を含む排ガス分析装置の全体構成を示すブロック図である。
【００１７】
図１〜５において、本実施形態の排ガス分析装置は、分析対象ガスとして、自動車１に設置されたエンジン（内燃機関）２から排出される排ガスを分析する装置である。また、図２に示すように、エンジンベンチ１Ａに設置されたエンジン２の排ガスを分析する装置である。エンジン２の各気筒から排出される排ガスは、エキゾーストマニホルド３で合流され、排気管４を通して第１触媒装置５に導入され、さらに第２触媒装置６に導入され、そのあとマフラー７を通して排気パイプ８から大気中に放出される。排ガスが流れる流路（経路）を構成する排気経路は、エキゾーストマニホルド３、排気管４、第１触媒装置５、第２触媒装置６、マフラー７、排気パイプ８から構成され、エンジン２から排出された排ガスを２つの触媒装置５，６で浄化し、マフラー７により消音、減圧して大気中に放出する。なお、マフラーはメインマフラーとサブマフラーの２つを有するものでもよい。
【００１８】
排気経路を構成する複数の部材は、フランジ部同士を対接させてボルト等で接続されている。例えば、第１、第２触媒装置５，６は大径の本体部の上流、下流側に排気パイプ部が連結され、これらの排気パイプ部の端部にフランジ部Ｆ，Ｆが溶接等により固着されている。また、マフラー７は大径の本体部の上流、下流側に排気パイプ部が連結され、これらの排気パイプ部の端部にフランジ部Ｆ，Ｆが固着されている。なお、末端の排気パイプ８はマフラー７に直接溶接等により固着されている。このように、排気経路を構成する複数の部材はフランジ部により接続され、排ガスが通過する断面形状が直径ｄの円形に形成されている。
【００１９】
本実施形態の排ガス分析装置１０は、前記の排気経路の複数個所に設置された複数のセンサ部１１〜１４を備えて構成される。第１のセンサ部１１は第１触媒装置５より上流側のエンジン側の排気管４との間に設置され、第２のセンサ部１２は第１触媒装置５の下流側に設置され、第３のセンサ部１３は第２触媒装置６の下流側に設置されている。そして、第４のセンサ部１４はマフラー７の下流の排気パイプ８に設置されている。センサ部１４は排気パイプの途中に設置されても、排気パイプの末端の開口部に挿入して設置するものでもよい。第１のセンサ部１１の上流側の、エキゾーストマニホルド３で合流する前の１気筒毎の排気管にセンサ部を設置してもよい。
【００２０】
排気管４や第１触媒装置５、第２触媒装置６、マフラー７はフランジ部Ｆ，Ｆをボルトで締め付けることで連結されており、排気経路を構成する部材の間に設置されるセンサ部１１，１２，１３は、フランジ部Ｆ，Ｆで挟まれた状態で設置されている。フランジ部Ｆ，Ｆは、排気経路を構成する部材の両端部に形成され、フランジ部同士の接合面は排気経路の中心線に対して直角に交差している。この結果、センサ部１１〜１３はフランジ部Ｆ，Ｆに挟まれて排気経路を横切るように設置される。第４のセンサ部１４は排ガスが大気中に放出される直前の分析を行なうものであり、マフラー７から突出する排気パイプ８の中間部にフランジ部Ｆ，Ｆで挟んで設置してもよい。なお、センサ部の設置数は任意に設定すればよい。
【００２１】
各センサ部１１〜１４は同一構成であり、１つのセンサ部１１について図３，４を参照して説明する。センサ部１１は矩形状の薄板材から形成されたセンサベース２０を有し、このセンサベースは中心部に排気パイプ部の円形断面の内径ｄと同じ直径ｄの排ガス通過孔２１が形成されており、排ガス通過孔内を排ガスが通過する。板状のセンサベース２０の厚さはレーザ光の照射部と受光部とを固定できる範囲で、できるだけ薄いことが好ましい。具体的にはセンサベース２０の厚さは、例えば５〜２０ｍｍ程度が好適である。２０ｍｍを超えると排ガス流れに乱れが生じやすく、５ｍｍより薄いと測定用のレーザ光の照射部や、排ガス中を透過したレーザ光の受光部の取付固定が煩雑となる。また、排気経路の任意の個所に必要に応じて容易に設置できる。なお、センサベース２０の厚さは任意に設定できる。
【００２２】
このように、センサベース２０に形成された排ガス通過孔２１の形状は、排ガス流れを乱さないように排気パイプ部の内径と同じ直径の円形に形成され、しかもセンサベース２０は薄く形成されている。このため、排気経路中にセンサ部１１〜１４を取付けても排ガス流れを乱すことがなく、圧力損失が少なく円滑に排気させることができる。排ガス通過孔２１の形状は、例えば直径が３０ｍｍの場合、３０±１〜２ｍｍ程度であれば排ガス流れの乱れが起きにくいので、このような範囲に設定されると好ましい。この程度の範囲が実質的に同じ断面形状として好ましい範囲である。センサベース２０を構成する板材としては金属板材やセラミック製の板材を用いているが、材質については特に問わない。
【００２３】
センサベース２０はフランジ部Ｆ，Ｆに挟まれた状態で固定され、フランジ部Ｆ，Ｆとセンサベース２０との間にはガスケット２２，２２が挟まれた状態で図示していないボルト、ナット等により固定される。ガスケット２２は石綿等で形成され、排気管の内径と同じ直径の排ガス通過孔が開けられている。この構成により、フランジ部Ｆ，Ｆの間にセンサベース２０を挟んで排気経路を接続しても、排ガスが途中で漏れることはなく、排気経路の長さの増加も少ない。図３は、排気管４の下流端に溶接されたフランジ部Ｆと、触媒装置５の上流側の排気パイプ部５ａの端部に溶接されたフランジ部Ｆとの間に、ガスケット２２，２２を挟んでセンサベース２０が固定される構成を示している。
【００２４】
センサベース２０には、板厚の中央を端面から排ガス通過孔に向けて貫通する２つのセンサ孔２３，２４が形成されている。センサ孔２３，２４は排ガス通過孔２１に向けて開口しており、排ガスの流れる方向と直交して開口している。センサ部１１はレーザ光を照射する照射部として光ファイバ２５Ａがセンサ孔２３に固定され、光ファイバ２５Ａから照射され排ガス通過孔２１内に存在する排ガス中を透過したレーザ光を受光する受光部として、ディテクタ２６Ａがセンサ孔２４に固定されている。すなわち、センサ部１１は、照射側の光ファイバ２５Ａから所定の入射角度で排気経路を横切るように照射されたレーザ光が、２つのミラー３０，３１で反射され、排ガス中を透過して減衰し、ディテクタ２６Ａで受光される構成となっている。
【００２５】
２つのミラー３０，３１は、図４に詳細に示すようにセンサベース２０の中心部の円形の排ガス通過孔２１外に、排ガス通過孔を挟持する対向位置において各々取り付けられており、ミラーの反射面が互いに平行となるようにして２枚配置され、測定用のレーザ光を反射させるように上下に設置固定される。すなわち、ミラー３０，３１は排ガス通過孔２１外で、排ガス通過孔を挟んで対向して平行状態に配置されている。ミラー３０，３１は排ガス通過孔２１の外周側に平行に形成された２つの挿入溝３２，３３内に着脱可能に固定されており、光ファイバ２５Ａから排ガス通過孔２１に向けて照射されたレーザ光をディテクタ２６Ａに導き到達させる機能を有している。ミラー３０，３１は厚さが数ｍｍ程度の長方形状の基板状に形成され、基板の一方の面に金やプラチナの薄膜が反射面として形成され、その上に保護層として、ＭｇＦ２やＳｉＯ２の薄膜が形成されている。なお、保護膜は形成しなくてもよい。
【００２６】
また、ミラー３０，３１の表面に光触媒層を形成してもよい。光触媒層は、例えば二酸化チタン（ＴｉＯ２）の薄膜が好ましい。光触媒層は塗布、あるいはコーティングによってミラーの表面に薄膜として形成されている。光触媒層が二酸化チタンの場合、この薄膜は紫外光等の光触媒用の光線を吸収して活性化し、表面に付着した汚れを浮上らせ、浮上った汚れは排ガス流れにより流されて排気経路から外部に排出されるように機能する。このように、ミラーの表面に光触媒層を形成すると、ミラーの表面を清浄化できて好ましい。
【００２７】
センサベース２０の排ガス通過孔２１の外周に形成された挿入溝３２，３３は、ミラー３０，３１が緩く挿入できる程度の大きさに設定されている。挿入溝３２，３３はセンサベース２０を貫通して両面側に開口しても、あるいは片面側に開口して他面側が閉塞している形状でもよい。ミラー３０，３１は挿入溝３２，３３内で取付ビス３６によりスペーサ３７を介して固定されている。ミラーが熱ショック等により破損した場合は、取付ビス３６を緩めることで取り外して新しいミラーを固定することができる。また、ミラーが汚れたときに、センサベース２０から取り外して清掃することもできる。
【００２８】
ミラー３０，３１は取付ビス３６によりスペーサ３７を介して固定されているため、エンジンの振動や排気管等の排気経路の振動でミラーが振動することを防止している。ミラーと取付ビスとの熱膨張の差を吸収するためスペーサ３７が挟まれており、緩衝材として機能している。スペーサとしては耐環境性に優れ、弾性変形するものが好ましい。例えば、雲母系やカーボン系、銅等の板材が好ましい。このように、スペーサを介して取付ビスで固定することにより、８００℃程度の高温状態でも振動することなく、安定して固定することができる。
【００２９】
ミラー３０，３１は石英、若しくはサファイア、セラミック等の母材の表面に反射材をコーティングして作製する。コーティング材としては、金や酸化チタン等のレーザ波長に合った反射率の高いものを選択することが好ましい。また、反射材を保護するコーティングとしてＳｉＯ２等の透明で耐熱性に優れ、耐環境性に優れたものを最上面に形成することが好ましい。耐熱性に優れ、反射率の高いミラーを用いることで精度良い測定が可能となる。また、反射材として酸化チタンを用いるときは、酸化チタンが単独で耐環境性に優れ、光触媒として汚れ防止に有効であるため保護膜を形成する必要がなく、そのままの状態で測定することが好ましい。
【００３０】
排ガス通過孔２１の内周面とミラーを固定する挿入溝３２，３３との間には、測定用のレーザ光がミラーに到達できるように貫通路が形成されている。貫通路としては貫通するスリットや、貫通する通過孔等が形成される。本実施形態では、排気経路に直交する方向に幅が数ｍｍ程度のスリット３８，３８が排ガス通過孔２１の内周面から挿入溝３２，３３まで連通させて形成され、スリットは排ガス通過孔２１の内周面とミラー３０，３１とを貫通している。この構成により、測定用の赤外レーザ光Ｒが照射部である光ファイバ２５からセンサ孔２３を通して排ガス通過孔２１内に照射されると、下方のスリット３８を通して下方のミラー３１に到達し、下方のミラーで上方に反射され、次いで上方のスリット３８を通して上方のミラー３０に到達し、上方のミラーで下方に反射され、上下で反射を繰返したあと上方に固定されたディテクタ２６Ａに受光される構成となっている。
【００３１】
光ファイバ２５Ａおよびディテクタ２６Ａはレーザ発振・受光コントローラ４０に接続され、レーザ発振・受光コントローラ４０から出射される赤外レーザ光が光ファイバ２５Ａを通してセンサベース２０の排ガス通過孔２１内に照射され、排ガス中を透過した赤外レーザ光が受光側のディテクタ２６Ａで受光され、信号線２８Ａを介してレーザ発振・受光コントローラ４０に入力される構成となっている。光ファイバ２５Ａから照射された発光強度と、排ガス中を透過してディテクタ２６Ａで受光された受光強度等が、分析装置であるパーソナルコンピュータ５５に供給される。このように、排ガス分析装置１０は、複数のセンサ部１１〜１４と、レーザ発振・受光コントローラ４０と、パーソナルコンピュータ５５とを備えて構成される。
【００３２】
ここで、レーザ発振・受光コントローラ４０について、図５を参照して説明する。レーザ発振・受光コントローラ４０は、複数の波長の赤外レーザ光を照射する照射装置として、複数のレーザダイオードＬＤ１〜ＬＤ５に、図示していないファンクションジェネレータ等の信号発生器から複数の周波数の信号を供給し、レーザダイオードＬＤ１〜ＬＤ５は各周波数に対応してそれぞれ複数の波長の赤外レーザ光を照射する。レーザ発振・受光コントローラ４０の信号発生器から出力される複数の周波数の信号がレーザダイオードＬＤ１〜ＬＤ５に供給されて発光し、例えばＬＤ１は波長が１３００〜１３３０ｎｍ程度、ＬＤ２は１３３０〜１３６０ｎｍというように、検出しようとする成分ガスのピーク波長が存在する波長帯が連続するような波長帯の赤外レーザ光を発生させるように設定されている。
【００３３】
排ガス中を透過させる赤外レーザ光の波長は、検出する排ガスの成分に合わせて設定され、一酸化炭素（ＣＯ）、二酸化炭素（ＣＯ２）、アンモニア（ＮＨ３）、メタン（ＣＨ４）、水（Ｈ２Ｏ）を検出する場合は、５つの波長の赤外レーザ光を使用する。例えば、アンモニアを検出するのに適した波長は１５３０ｎｍであり、一酸化炭素を検出するのに適した波長は１５６０ｎｍであり、二酸化炭素を検出するのに適した波長は１５７０ｎｍである。また、メタンを検出するのに適した波長は１６８０ｎｍであり、水を検出するのに適した波長は１３５０ｎｍである。さらに、他の排ガスの成分の濃度を検出する場合は、排ガス成分の数に合わせて異なる波長の赤外レーザ光を使用する。なお、ガス濃度の検出は、同じ成分でも異なる波長である場合があり、異なる波長の中から選択して用いるようにしてもよい。
【００３４】
各レーザダイオードＬＤ１〜ＬＤ５から照射された赤外レーザ光は光ファイバ４２…により分波器４３…に導光され、センサ部の数に合わせて分波器４３…により分波される。図５では３つのセンサ部１１〜１３に合わせて各レーザダイオードＬＤ１〜ＬＤ５から照射されたレーザ光は３つに分波される。そして分波器４３…で分波されたレーザ光は、分波器４４Ａ…、４４Ｂ…、４４Ｃ…により信号光と測定光に分けられる。分波器４４Ａ…はセンサ部１１用であり、分波器４４Ｂ…はセンサ部１２用、分波器４４Ｃ…はセンサ部１３用である。センサ部１１用の５つの分波器４４Ａ…で分けられた信号光は光ファイバを通して合波器４５Ａで合波され、合波された複数の波長帯の信号光は光ファイバ４７Ａを通して後述する差分型光検出器５０Ａに導光される。一方、５つの分波器４４Ａ…で分けられた測定光は光ファイバを通して合波器４６Ａで合波され、光ファイバ２５Ａによりセンサ部１１の照射部に導光される。
【００３５】
また、分波器４３…で分波された赤外レーザ光は、センサ部１２用の５つの分波器４４Ｂ…により信号光と測定光に分けられ、信号光は合波器４５Ｂで複数の波長帯を合波した信号光となり、光ファイバ４７Ｂを通して差分型光検出器５０Ｂに導光される。５つの分波器４４Ｂ…により分けられた測定光は合波器４６Ｂで合波され、光ファイバ２５Ｂによりセンサ部１２の照射部に導光される。さらに、分波器４３…で分波された赤外レーザ光は、センサ部１３用の５つの分波器４４Ｃ…により信号光と測定光に分けられ、信号光は合波器４５Ｃで複数の波長帯の信号光となり、光ファイバ４７Ｃを通して差分型光検出器５０Ｃに導光される。５つの分波器４４Ｃ…により分けられた測定光は合波器４６Ｃで合波され、光ファイバ２５Ｃによりセンサ部１３の照射部に導光される。
【００３６】
図５では、３つのセンサ部１１〜１３を示しているが、さらに多くのセンサ部１４…を設置する場合は、分波器４３でさらに多くのレーザ光に分波し、分波したレーザ光をさらに多くの分波器４４…で測定光と信号光に分波し、信号用のレーザ光を合波器４５…で合波してから差分型光検出器５０…に導光すると共に、測定用のレーザ光を合波器４６…で合波してから、さらに多くのセンサ部１４…に導光する。
【００３７】
本実施形態の排ガス分析装置１０は、測定用の赤外レーザ光をミラー３０，３１で反射させ排ガス中の透過距離を大きくするように構成されており、ミラー３０，３１で繰り返し反射された測定用のレーザ光がディテクタで受光される構成となっている。センサ部１１〜１３の受光部に接続された受光側のディテクタ２６Ａ，２６Ｂ，２６Ｃはレーザ発振・受光コントローラ４０の差分型光検出器５０Ａ，５０Ｂ，５０Ｃに信号線２８Ａ，２８Ｂ，２８Ｃを介して接続される。また、合波器４５Ａ，４５Ｂ，４５Ｃで合波された信号光は光ファイバ４７Ａ，４７Ｂ，４７Ｃを通して差分型光検出器５０Ａ，５０Ｂ，５０Ｃに導光される。
【００３８】
３つの差分型光検出器５０Ａ，５０Ｂ，５０Ｃでは、排ガス中を透過して減衰した透過レーザ光と、排ガス中を透過していない信号レーザ光との差を取る構成となっている。信号レーザ光はフォトダイオード等に入力され、電気信号に変換される。差分型光検出器で算出された信号光と測定光の差分に相当する電気信号は、例えば図示していないプリアンプで増幅され、Ａ／Ｄ変換器を介して信号解析装置であるパーソナルコンピュータ５５に入力される。パーソナルコンピュータ５５では、入力された信号から排ガスの成分の濃度や、排ガスの温度を算出して排ガスを分析する。
【００３９】
本発明の排ガス分析装置１０は、例えば赤外レーザ光を排ガス中に透過させ、入射光の強度と排ガス中を透過したあとの透過光の強度に基づいて排ガスの成分の濃度を算出し、排ガスを分析するものである。すなわち、排ガスの成分の濃度Ｃは、以下の数式（１）から算出される。
Ｃ＝−ｌｎ（Ｉ／Ｉ０）／ｋＬ…（１）
【００４０】
この数式（１）において、Ｉは透過光強度、Ｉ０は入射光強度、ｋは吸収率、Ｌは透過距離である。したがって、信号光である入射光強度（Ｉ０）に対する透過光強度（Ｉ）の比、シグナル強度（Ｉ／Ｉ０）に基づいて排ガスの成分の濃度Ｃは算出される。透過光強度Ｉは、ディテクタ２６Ａ，２６Ｂ，２６Ｃを通して出力され、入射光強度Ｉ０は、光ファイバ４７Ａ，４７Ｂ，４７Ｃを通して差分型光検出器５０Ａ，５０Ｂ，５０Ｃ内のフォトダイオード等の光電変換器から出力される。本実施形態では入射光強度Ｉ０として、排ガス中を透過しない信号光強度を用いている。
【００４１】
前記の如く構成された本実施形態の排ガス分析装置１０の動作について以下に説明する。排ガスの成分の濃度を測定するときは、レーザ発振・受光コントローラ４０の信号発生器を作動させて各レーザダイオードＬＤ１〜ＬＤ５に信号を供給して各レーザダイオードＬＤ１〜ＬＤ５から所定の波長の赤外レーザ光を発光させる。各レーザダイオードＬＤ１〜ＬＤ５から発光された赤外レーザ光は、光ファイバ４２…を通して分波器４３…に至り、ここでセンサ部の数に合わせて分波される。
【００４２】
このあと、分波された赤外レーザ光は分波器４４Ａ…，４４Ｂ…，４４Ｃ…で測定光と信号光に分波される。１つのセンサ部１１について詳細に説明すると、５つの分波器４４Ａで分波された信号光は合波器４５Ａで合波されて信号用レーザ光となり、差分型光検出器５０Ａに導光される。また、５つの分波器４４Ａで分波された測定光は合波器４６Ａで合波されて測定用レーザ光となり、センサ部１１の照射部に光ファイバ２５Ａを通して導光される。他のセンサ部１２，１３についても、同様に分波器４３…で分波されたあと、分波器４４Ｂ…，４４Ｃ…で信号光と測定光に分波され、合波器４５Ｂ，４５Ｃで合波されて、信号光は差分型光検出器５０Ｂ，５０Ｃに導光され、合波器４６Ｂ，４６Ｃで合波されて、測定光がセンサ部１２，１３に導光される。
【００４３】
そして、センサ部１１〜１３の光ファイバ２５Ａ，２５Ｂ，２５Ｃから照射された測定用の赤外レーザ光は、センサ孔２３を通して排ガスが通過している排ガス通過孔２１内に照射される。赤外レーザ光は排気経路である排ガス通過孔２１内を横切り、スリット３８を通して下方のミラー３１に到達しこのミラーで上方に反射され、ついで上方のスリット３８を通して上方のミラー３０で下方に反射され、反射を繰返すことで排ガス中の透過距離が大きくなり、最後にセンサ孔２４を通してディテクタ２６Ａ，２６Ｂ，２６Ｃで受光される。すなわち、測定用の赤外レーザ光は排ガス中を透過して減衰され、減衰された透過光が受光部であるディテクタで受光され、透過光（測定光）の光強度が測定される。
【００４４】
このように、測定用の赤外レーザ光は排気経路を構成するセンサ部の排ガス通過孔２１内の、排気経路と直交する面内を横切って受光されるため、直交する１断面における排ガスの成分の濃度や温度をスポット的に測定することができる。すなわち、排気経路に沿った、ある長さの範囲の排ガスの成分の濃度や温度を測定するのでなく、排気経路を横切る所定の１面を基準とした排ガスの成分の濃度や温度を測定することができるので、スポット的な測定が可能となる。
【００４５】
排ガス中を通り減衰して受光部に到達した測定用の赤外レーザ光はディテクタ２６Ａ，２６Ｂ，２６Ｃで電気信号として出力され、信号線２８Ａ，２８Ｂ，２８Ｃを介して差分型光検出器５０Ａ，５０Ｂ，５０Ｃに供給される。一方、信号用レーザ光は差分型光検出器５０Ａ，５０Ｂ，５０Ｃに供給され、差分型光検出器では、複数の波長成分毎に透過光（測定光）と信号光の差を取り、透過光のうちの特定ガス成分のピーク波長を検出する。このようにして、差分型光検出器からの出力が信号解析装置であるパーソナルコンピュータ５５に入力される。パーソナルコンピュータ５５は、入力された複数の周波数帯ごとのピーク波長に基づいて、排ガスの成分の濃度測定や温度測定を実施して分析する。
【００４６】
気体は、それぞれ固有の吸収波長帯を持っており、その吸収波長帯には、例えば図６に示すように、多くの吸収線が存在している。図６ａは低温のときのシグナル強度（＝分子数割合）を示しており、図６ｂは高温のときのシグナル強度を示している。このように、シグナル強度は温度に依存して変化するため、シグナル強度比を測定することにより、測定時の排ガスの温度を算出することができる。
【００４７】
そして、図７に示すように、吸収線のうちの１本、例えば波長λ１に対してレーザ光の発振波長を掃引することによって吸収を測定する。この波形と信号レーザ光の波形との比をとることによって、スペクトルプロファイルを測定する。また、温度測定は、前記のスペクトルプロファイルを異なる２つの吸収線λ１、λ２について測定し、それらの面積比Ａ１／Ａ２（またはピークの高さの比Ｐ１／Ｐ２）をとることにより求めることができる。従来の波長変調法では、図７ａに示すように、吸収スペクトルピークの先端の曲率により排ガスの成分の濃度を算出していたが、本発明では、図７ｂに示すように、吸収スペクトルの面積により排ガスの成分の濃度を算出するため、圧力の影響を受けにくい排ガスの成分の濃度の算出が可能となる。
【００４８】
排ガス中に含まれる成分の濃度の測定や、排ガスの温度の測定は、測定用の赤外レーザ光をセンサ部１１〜１４の照射部である光ファイバからセンサ孔２３を通して排ガス通過孔２１内に照射し、レーザ光は下方のスリット３８を通して下方のミラー３１に到達し、ミラーで上方に向けて反射され、下方のスリット３８および上方のスリット３８を通して上方のミラー３０に到達して下方に反射される。このように、測定用の赤外レーザ光は、センサベースの排ガス通過孔２１の上下に形成されたスリット３８，３８を通して上下のミラー３０，３１で反射を繰り返し、本実施形態では７回の反射を繰返したあと、受光部であるディテクタ２６Ａで受光され、透過光強度として測定される。
【００４９】
この測定に際し、センサ部のセンサベース２０には、排気経路の断面形状と同じ直径の円形の排ガス通過孔２１が形成され、しかもセンサベース２０の厚さが薄く形成されていると共に、レーザ光が通過するセンサ孔２３，２４やスリット３８，３８が小さく形成されているため、排ガス流れを乱すことがなく排ガスが安定して流通するため、排気効率の低下を防止できる。しかも、排ガス流れを乱すことなく、排ガス中を透過させるレーザ光を反射させて排ガス中の透過距離を大きくして受光し、減衰量を大きくすることができるため、精度の高い測定が可能となる。なお、排ガス通過孔の断面形状は、排ガスの流れを乱さない範囲でほぼ等しく形成してもよい。
【００５０】
本発明の他の実施形態を図８〜１０に基づき詳細に説明する。図８は本発明に係る排ガス分析装置で使用するセンサ部の他の実施形態の正面図、Ｄ−Ｄ線断面図、Ｅ−Ｅ線断面図、Ｆ−Ｆ線要部断面図、図９はミラーの平面図と底面図、図１０は図８，９に示すセンサ部を使用するレーザ発振・受光コントローラの要部構成および信号解析装置を含む排ガス分析装置の全体構成を示すブロック図である。
【００５１】
なお、この実施形態は前記した実施形態に対し、排ガス分析装置は複数のレーザ光発生手段として、赤外レーザ光発生手段ＬＤ１〜ＬＤ５と可視レーザ光発生手段ＬＤ６とを備えており、それぞれのレーザ光に対応して反射部材であるミラーは複数の反射面を備えることを特徴としている。すなわち、赤外レーザ光に対して反射率の高い反射面と、可視レーザ光に対して反射率の高い反射面の両方の反射面を形成している。そして、他の実質的に同等の構成については同じ符号を付して詳細な説明は省略する。
【００５２】
図８に示されるセンサ部１１Ａは、前記の実施形態で示すセンサ部１１〜１４と同様に、車両の排気経路中に設置できるように構成されている。このセンサ部１１Ａは、基本的には前記実施形態のセンサ部１１と赤外レーザ光が照射され受光される構成は同じであり、この構成と共に可視レーザ光を照射して受光する構成が付加されている。すなわち、センサベース２０の上方の左方に赤外レーザ光の照射部として光ファイバ２５Ａが固定され、右方に赤外レーザ光の受光部としてディテクタ２６Ａが固定されている。
【００５３】
図１０に示される可視レーザ光発生手段ＬＤ６には、光ファイバ６１が接続され、可視レーザ光は分波器６２に導光される。分波器６２では、３つのセンサ部に対応して可視レーザ光を信号光と測定光の２つに分波し、光ファイバ６３Ａ，６３Ｂを介して３つのセンサ部に導光している。各光ファイバ６３Ａは、センサベース２０の左下方に接続され、可視レーザ光を照射する照射部として機能する。この実施形態では、測定用レーザ光として赤外レーザ光と可視レーザ光を使用することにより、前記の実施形態より多種の排ガス成分の濃度測定が可能となる。例えば、排ガス中に含まれる酸素の濃度を測定する場合は、波長が７６０ｎｍ程度の帯域を用いることで容易に測定することができる。
【００５４】
センサベース２０には可視レーザ光Ｒ１用のセンサ孔６４，６５が形成され、これらのセンサ孔は、図８ｂに示されるように、赤外レーザ光Ｒ用のセンサ孔２３，２４と中心面に対してずらして形成されている。センサ孔６４に光ファイバ６３Ａが照射部として固定され、センサ孔６５に可視レーザ光の受光部としてディテクタ６６Ａ（６６Ｂ，６６Ｃ）が固定されている。この構成により、赤外レーザ光Ｒと可視レーザ光Ｒ１とは別々の面上の光路で反射が繰り返されて受光され、赤外レーザ光の光路と可視レーザ光の光路とが交差しないように構成されている。
【００５５】
反射部材であるミラー６７，６７は赤外レーザ光発生手段であるＬＤ１〜ＬＤ５から発生される赤外レーザ光Ｒと、可視レーザ光発生手段であるＬＤ６から発生される可視レーザ光Ｒ１に対応して、反射率の高い反射面を備えている。ミラー６７，６７は赤外レーザ光Ｒを反射させスリット３８を通してディテクタ２６Ａに到達させるものであると共に、可視レーザ光Ｒ１を反射させスリット３８を通してディテクタ６６Ａに到達させるものである。なお、ミラーの固定手段は図８では省略しているが、前記の実施形態と同様に挿入溝内にスペーサを挟んで取付ビス等で固定される。
【００５６】
上方のミラー６７は、底面形状を示す図９ａにおいて、ミラーの表面に赤外レーザ光の反射率の高い反射面としてタンタル系の反射面６７ａと、可視レーザ光の反射率の高い反射面として金の薄膜を形成した反射面６７ｂとが交互に、所定の幅で形成されている。また、下方のミラー６７は、平面形状を示す図９ｂにおいて、ミラーの表面には、タンタル系の反射面６７ａと、金の反射面６７ｂとが交互に、所定の幅で形成されている。すなわち、上方のミラー６７の反射面と、下方のミラーの反射面とは、反射面６７ａと反射面６７ｂとの配置が反対となっている。このように、反射面６７ａと反射面６７ｂとを交互に配置させることにより、光路長を長くしてもミラーの小型化を図ることができる。
【００５７】
本実施形態では、図１０に示されるレーザ発振・受光コントローラ４０Ａにおいて、センサ部１１Ａ〜１３Ａのセンサベース２０には上面に赤外レーザ光の発生手段ＬＤ１〜ＬＤ５からの光ファイバ２５Ａ〜２５Ｃが接続され、光ファイバから照射された赤外レーザ光が排ガス中を透過して受光される受光部としてディテクタ２６Ａ〜２６Ｃが固定されている。また、センサベース２０の下面には可視レーザ光が供給されている。すなわち、可視レーザ光の発生手段であるレーザダイオードＬＤ６から光ファイバ６１が接続され、分波器６２で信号光と測定光に分波される。そして、測定光は光ファイバ６３Ａで３つのセンサ部に供給され、各センサ部の照射部から照射された可視レーザ光が排ガス中を透過して受光される受光部としてディテクタ６６Ａ〜６６Ｃが固定されている。信号光は光ファイバ６３Ｂで３つの差分型光検出器５１Ａ〜５１Ｃに供給され、３つのディテクタから供給される光強度との差が検出される。
【００５８】
１つのセンサ部１１Ａについてより詳細に説明すると、上方の光ファイバ２５Ａから照射された赤外レーザ光は下方のミラー６７の赤外光用の反射面６７ａ、上方のミラー６７の赤外光用の反射面６７ａで高い反射率で反射され、さらに複数回反射が繰り返されて上方のディテクタ２６Ａで受光される。また、下方の光ファイバ６３Ａから照射された可視レーザ光は上方のミラー６７の可視光用の反射面６７ｂ、下方のミラー６７の可視光用の反射面６７ｂで高い反射率で反射され、さらに複数回反射が繰り返されて下方のディテクタ６６Ａで受光される。このように、赤外レーザ光Ｒと可視レーザ光Ｒ１とは別々の光路で反射が繰り返されて受光されるため、赤外レーザ光と可視レーザ光とは交差しないでディテクタに到達し、相互に干渉されることがない。
【００５９】
この実施形態では、赤外レーザ光の波長帯に適した排ガスの成分の濃度を赤外レーザ光で測定し、可視レーザ光の波長帯に適した排ガスの成分の濃度を可視レーザ光で測定するため、多数の種類の排ガスの成分の濃度を効率良く、高精度で測定することができる。しかも、排ガスの成分に合わせて赤外レーザ光と可視レーザ光とを使用するため、排ガスの成分に最適な波長を用いることができるため、迅速な測定が可能となる。また、ミラー６７は赤外レーザ光用の反射面６７ａと、可視レーザ光用の反射面６７ｂとを交互に形成するため、作製が容易となる。なお、反射面の形成は、先ず一方の反射面を全面に形成し、次いで他方の反射面を間隔を空けて形成してもよい。
【００６０】
以上、本発明の実施形態について詳述したが、本発明は、前記の実施形態に限定されるものではなく、特許請求の範囲に記載された本発明の精神を逸脱しない範囲で、種々の設計変更を行なうことができるものである。例えば、センサベースのレーザ光が通過する貫通路としてスリットの例を示したが、断面が円形の貫通孔を形成してレーザ光を通過させるように構成してもよい。また、直径が徐々に変化するテーパ孔で貫通路を形成してもよい。
【００６１】
複数のレーザ光発生手段として、赤外レーザ光発生手段と可視レーザ光発生手段の２つの発生手段を備える例を示したが、さらに、例えば紫外レーザ光発生手段を備えるように構成してもよいのは勿論である。そして、さらに多数のレーザ光発生手段をセンサ部に備え、その発生手段に対応して複数の受光手段を備えるように構成してもよい。
【００６２】
センサ部のセンサベースに照射部として光ファイバを、受光部としてディテクタを備える例を示したが、センサベースに直接レーザダイオード等の照射部を備えてもよく、フォトダイオード等のディテクタの代わりに受光用の光ファイバを装着する構成としてもよい。また、光ファイバの照射部にコリメータレンズを設け、コリメータレンズを通して排ガス通過孔内にレーザ光を照射するようにしてもよい。
【産業上の利用可能性】
【００６３】
本発明の活用例として、このガス分析装置を用いてボイラー等の燃焼装置の排ガス分析を行なうことができ、自動車の排ガス分析の他に船舶や発電機等で使用する内燃機関の排ガス分析の用途にも適用できる。また、ガソリンエンジンの排ガス分析の他にディーゼルエンジンの排ガス分析を行なうことができ、さらに他の内燃機関の排ガス分析の用途にも適用できる。
【図面の簡単な説明】
【００６４】
【図１】本発明に係るガス分析装置としての排ガス分析装置を車両に搭載した一実施形態の要部構成図。
【図２】本発明に係るガス分析装置としての排ガス分析装置をエンジンベンチに搭載した他の実施形態の要部構成図。
【図３】１つのセンサ部の要部の分解した状態の斜視図を含む排ガス分析装置の要部構成図。
【図４】（ａ）は図３のセンサ部の詳細を示す一部を破断した正面図、（ｂ）は（ａ）のＡ−Ａ線断面図、（ｃ）は（ａ）のＢ−Ｂ線断面図、（ｄ）は（ｃ）のＣ−Ｃ線要部断面図。
【図５】レーザ発振・受光コントローラの要部構成および信号解析装置を含む排ガス分析装置の全体構成を示すブロック図。
【図６】吸収スペクトルの圧力の影響を示し、（ａ）は低温のときのシグナル強度の説明図、（ｂ）は高温のときのシグナル強度の説明図。
【図７】（ａ）は従来の吸収スペクトルから排ガスの成分の濃度を算出する説明図、（ｂ）は本発明の吸収スペクトルから排ガスの成分の濃度を算出する説明図。
【図８】センサ部の他の実施形態を示し、（ａ）はセンサ部の正面図、（ｂ）は（ａ）のＤ−Ｄ線断面図、（ｃ）は（ａ）のＥ−Ｅ線断面図、（ｄ）は（ｃ）のセンサベースのＦ−Ｆ線要部断面図。
【図９】図８のセンサ部で使用するミラーの底面図と平面図。
【図１０】図８，９に示すセンサ部を使用するレーザ発振・受光コントローラの要部構成および信号解析装置を含む排ガス分析装置の全体構成を示すブロック図。
【符号の説明】
【００６５】
１：自動車、１Ａ：エンジンベンチ、２：エンジン（内燃機関）、３：エキゾーストマニホルド（排気経路）、４：排気管（排気経路）、５：第１触媒装置（排気経路）、６：第２触媒装置（排気経路）、７：マフラー（排気経路）、８：排気パイプ（排気経路）、１０：排ガス分析装置（ガス分析装置）、１１〜１４：センサ部、２０：センサベース、２１：排ガス通過孔、２５Ａ〜２５Ｃ，６３Ａ：光ファイバ（レーザ光照射部）、２６Ａ〜２６Ｃ，６６Ａ：ディテクタ（レーザ光受光部）、３０，３１：ミラー、３８：スリット（貫通路）、４０：レーザ発振・受光コントローラ、４３：分波器、４４Ａ〜４４Ｃ：分波器、４５Ａ〜４５Ｃ，４６Ａ〜４６Ｃ：合波器、５０Ａ〜５０Ｃ，５１Ａ〜５１Ｃ：差分型光検出器、５５：パーソナルコンピュータ（信号解析装置）、６７：ミラー、６７ａ：反射面（赤外レーザ光用反射面）、６７ｂ：反射面（可視レーザ光用反射面）、ＬＤ１〜ＬＤ５：赤外レーザ光発生手段、ＬＤ６：可視レーザ光発生手段
【図１】
0004781039.tif 000002
【図２】
0004781039.tif 000003
【図３】
0004781039.tif 000004
【図４】
0004781039.tif 000005
【図５】
0004781039.tif 000006
【図６】
0004781039.tif 000007
【図７】
0004781039.tif 000008
【図８】
0004781039.tif 000009
【図９】
0004781039.tif 000010
【図１０】
0004781039.tif 000011